【手続補正書】
【提出日】平成19年10月4日(2007.10.4)
【手続補正１】
【補正対象書類名】明細書
【補正対象項目名】特許請求の範囲
【補正方法】変更
【補正の内容】
【特許請求の範囲】
【請求項１】
ホッパー内のメダルを１枚ごと外部に払出す払出手段と、この払出手段の作動動作による外部への払出しメダルを検出する払出しメダル検出器とを備えたメダル払出装置において、
入賞状態に基づく前記払出手段への作動動作指令信号、あるいは前記払出手段作動信号があるにもかかわらず、前記払出しメダル検出器が動作しないとき、故障、不正または不正の可能性ありとして判断する不正判別手段を備えたことを特徴とするメダル遊技機のメダル払出装置。
【請求項２】
ホッパー内のメダルを１枚ごと外部に払出す払出手段と、この払出手段の作動動作による外部への払出しメダルを検出する払出しメダル検出器とを備えたメダル払出装置において、
入賞状態に基づく前記払出手段への作動動作指令信号、あるいは前記払出手段作動信号がないにもかかわらず、前記払出しメダル検出器が動作するとき、故障、不正または不正の可能性ありとして判断する不正判別手段を備えたことを特徴とするメダル遊技機のメダル払出装置。
【手続補正２】
【補正対象書類名】明細書
【補正対象項目名】００１０
【補正方法】変更
【補正の内容】
【００１０】
＜第３の発明＞ホッパー内のメダルを１枚ごと外部に払出す払出手段と、この払出手段の作動動作による外部への払出しメダルを検出する払出しメダル検出器とを備えたメダル払出装置において、前記払出しメダル検出器による複数枚のメダルの払出し信号が経時的に規則性を有しているとき不正無し、規則性を有していないとき不正または不正の可能性ありとして判断する不正判別手段を備えたことを特徴とするメダル遊技機のメダル払出装置。
【手続補正３】
【補正対象書類名】明細書
【補正対象項目名】００１２
【補正方法】変更
【補正の内容】
【００１２】
＜第４の発明＞ホッパー内のメダルを１枚ごと外部に払出す払出手段を備えたメダル払出装置において、メダルの外部への払出し経路にメダルの有無を直接検出してメダルの通過信号とする通過メダル検出器を設け、複数枚のメダルの通過信号が経時的に規則性を有しているとき不正無し、規則性を有していないとき不正または不正の可能性ありとして判断する不正判別手段を備えたことを特徴とするメダル遊技機のメダル払出装置。
【手続補正４】
【補正対象書類名】明細書
【補正対象項目名】００１４
【補正方法】変更
【補正の内容】
【００１４】
＜第５の発明＞ホッパー内のメダルを１枚ごと外部に払出す払出手段と、この払出手段の作動動作による外部への払出しメダルを検出する払出しメダル検出器とを備えたメダル払出装置において、メダルの外部への払出し経路にメダルの有無を直接検出してメダルの通過信号とする通過メダル検出器を設け、前記払出しメダル検出器による複数枚のメダルの払出し信号、及び前記通過メダル検出器による複数枚のメダルの通過信号の両者が経時的に規則性を有しているとき不正無し、少なくとも一方が、規則性を有していないとき不正または不正の可能性ありとして判断する不正判別手段を備えたことを特徴とするメダル遊技機のメダル払出装置。
【手続補正５】
【補正対象書類名】明細書
【補正対象項目名】００１６
【補正方法】変更
【補正の内容】
【００１６】
＜第６の発明＞メダル遊技機の制御信号に基づいて駆動する駆動手段と、この駆動手段の作動により底部ディスクを回転させホッパー内のメダルを１枚ごと外部に払出す払出手段とを備えたメダル払出装置において、メダルの外部への払出し経路にメダルの有無を直接検出してメダルの通過信号とする通過メダル検出器を設け、前記駆動手段の作動時間内に、前記通過メダル検出器によるメダルの通過信号が規則性を有しているとき不正無し、規則性を有していないとき不正または不正の可能性ありとして判断する不正判別手段を備えたことを特徴とするメダル遊技機のメダル払出装置。
【手続補正６】
【補正対象書類名】明細書
【補正対象項目名】００１８
【補正方法】変更
【補正の内容】
【００１８】
＜第７の発明＞メダル遊技機の制御信号に基づいて駆動する駆動手段と、この駆動手段の作動により底部ディスクを回転させホッパー内のメダルを１枚ごと外部に払出す払出手段と、この払出手段の作動動作による外部への払出しメダルを検出する払出しメダル検出器とを備えたメダル払出装置において、メダルの外部への払出し経路にメダルの有無を直接検出してメダルの通過信号とする通過メダル検出器を設け、前記駆動手段が作動している状態において；前記払出しメダル検出器による複数枚のメダルの払出し信号、及び前記通過メダル検出器による複数枚のメダルの通過信号の両者が経時的に規則性を有しているとき不正無し、少なくとも一方が、規則性を有していないとき不正または不正の可能性ありとして判断する不正判別手段を備えたことを特徴とするメダル遊技機のメダル払出装置。
【手続補正７】
【補正対象書類名】明細書
【補正対象項目名】００２０
【補正方法】変更
【補正の内容】
【００２０】
＜第８の発明＞メダル遊技機の制御信号に基づいて駆動する駆動手段と、この駆動手段の作動により底部ディスクを回転させホッパー内のメダルを１枚ごと外部に払出す払出手段とを備えたメダル払出装置において、メダルの外部への払出し経路にメダルの有無を直接検出してメダルの通過信号とする通過メダル検出器を設け、前記駆動手段が作動している状態において、前記通過メダル検出器によりメダルの通過が検出されないときまたは通過信号が規則性を有していないとき、故障、不正または不正の可能性ありとして判断する不正判別手段を備えたことを特徴とするメダル遊技機のメダル払出装置。
【手続補正８】
【補正対象書類名】明細書
【補正対象項目名】００２２
【補正方法】変更
【補正の内容】
【００２２】
＜第９の発明＞メダル遊技機の制御信号に基づいて駆動する駆動手段と、この駆動手段の作動により底部ディスクを回転させホッパー内のメダルを１枚ごと外部に払出す払出手段とを備えたメダル払出装置において、メダルの外部への払出し経路にメダルの有無を直接検出してメダルの通過信号とする通過メダル検出器を設け、前記駆動手段が作動していない状態において、前記通過メダル検出器によりメダルの通過が検出されるとき、不正または不正の可能性ありとして判断する不正判別手段を備えたことを特徴とするメダル遊技機のメダル払出装置。
【手続補正９】
【補正対象書類名】明細書
【補正対象項目名】００２４
【補正方法】変更
【補正の内容】
【００２４】
＜第１０の発明＞メダル遊技機の制御信号に基づいて駆動する駆動手段と、この駆動手段の作動により底部ディスクを回転させホッパー内のメダルを１枚ごと外部に払出す払出手段と、この払出手段の作動動作による外部への払出しメダルを検出する払出しメダル検出器とを備えたメダル払出装置において、メダルの外部への払出し経路にメダルの有無を直接検出してメダルの通過信号とする通過メダル検出器を設け、所定の時間内における前記払出しメダル検出器の作動回数と、前記通過メダル検出器によるメダルの通過回数との比較により一致性がないとき、故障、不正または不正の可能性ありとして判断する不正判別手段を備えたことを特徴とするメダル遊技機のメダル払出装置。
【手続補正１０】
【補正対象書類名】明細書
【補正対象項目名】００２６
【補正方法】変更
【補正の内容】
【００２６】
＜第１１の発明＞メダル遊技機の制御信号に基づいて駆動する駆動手段と、この駆動手段の作動により底部ディスクを回転させホッパー内のメダルを１枚ごと外部に払出す払出手段と、この払出手段の作動動作による外部への払出しメダルを検出する払出しメダル検出器とを備えたメダル払出装置において、メダルの外部への払出し経路にメダルの有無を直接検出してメダルの通過信号とする通過メダル検出器を設け、前記払出しメダル検出器が払出しメダルを検出した後の所定時間内に、前記通過メダル検出器によるメダルの通過信号がないとき、故障、不正または不正の可能性ありとして判断する不正判別手段を備えたことを特徴とするメダル遊技機のメダル払出装置。